(57)【要約】      （修正有）【課題】何度でも繰り返し使用することができ、また、皮膚上の筒が施灸中に容易に倒れることなく、安全性の極めて高い灸具を、しかも安価に提供する。【解決手段】もぐさ４を詰めるセラミック筒２と、このセラミック筒２を嵌め込んだ状態で人体の皮膚Ｓ上に接着可能な環状の台座３とからなる灸具とする。環状の台座３の下面に粘着剤層６を設けるとともに、粘着剤層６の下面に剥離可能なシールを装着する。また、剥離可能なシールの替わりに、剥離可能な台紙の上に粘着剤層６を介して多数個の環状の台座３を貼付ける。【選択図】図２
0003115781.tif 000002
【実用新案登録請求の範囲】
【請求項１】
もぐさを詰めるセラミック筒と、このセラミック筒を嵌め込んだ状態で人体の皮膚の上に接着可能な環状の台座とからなることを特徴とする灸具。
【請求項２】
セラミック筒の外径が８ｍｍ〜１０ｍｍであり、台座の外径が１６ｍｍ〜２０ｍｍであることを特徴とする請求項１記載の灸具。
【請求項３】
セラミック筒の高さが１０ｍｍ〜１４ｍｍであり、台座の厚さが２ｍｍ〜４ｍｍであることを特徴とする請求項１または請求項２記載の灸具。
【請求項４】
セラミック筒の内部が上側の大径筒部と下側の小径筒部に区画されていることを特徴とする請求項１ないし請求項３のうちいずれか１項に記載の灸具。
【請求項５】
セラミック筒の内部が貫通穴を備える板により上下に区画されていることを特徴とする請求項１ないし請求項４のうちいずれか１項に記載の灸具。
【請求項６】
環状の台座の下面に粘着剤層が設けられるとともに、粘着剤層の下面に剥離可能なシールが装着されていることを特徴とする請求項１ないし請求項５のうちいずれか１項に記載の灸具。
【請求項７】
剥離可能なシールの替わりに、剥離可能な台紙の上に粘着剤層を介して多数個の環状の台座を貼付けてなることを特徴とする請求項６に記載の灸具。
【請求項８】
剥離可能なシールの替わりに、剥離可能な台紙の上に粘着剤層、保護紙層を介して多数個の環状の台座を貼付けてなり、各台座の内周および外周に沿って保護紙層からその下層の粘着剤層に達する環状の２列の切取線が設けられ、各環状の台座は、２列の切取線に沿って切り取られる保護紙層、粘着剤層と一緒に台紙から剥がされる構成であることを特徴とする請求項６に記載の灸具。
【考案の詳細な説明】
【技術分野】
【０００１】
本考案は、施灸に際して用いる灸具に関するものである。
【背景技術】
【０００２】
施灸に用いる灸具として、使い捨てタイプの紙筒が知られている。これは、もぐさを紙筒に詰め、もぐさと皮膚との間に紙筒で空間を作り、もぐさの熱を紙筒で緩和し皮膚に温熱を与えるものである。紙筒の下端面には糊が付いており、湿らせて皮膚に密着させるようにしている。この状態で、もぐさに点火し、点火後５〜６分くらいで紙筒ごと皮膚から取り外す。使用後の紙筒はもぐさの灰の処理後、廃棄するようにしている。
【０００３】
従来より、紙筒製の灸具の提案が多数なされている（特許文献１、特許文献２等参照）。
【０００４】
【特許文献１】実用新案公開平７−３３３３６号公報
【特許文献２】登録実用新案第３０４２７５７号公報
【考案の開示】
【考案が解決しようとする課題】
【０００５】
しかしながら、紙筒製の灸具は、使い捨て専用であり、一日に数十人に施灸する場合には数百個から約千個という多量の紙筒を廃棄する事態を招く。また、紙筒は、下端面に付けた糊だけで皮膚に張り付かせているだけであり、安定性が悪く、張り付き状態が悪いと、施灸中に手や体の僅かな動きによって倒れてしまうという問題があった。
【０００６】
本考案は前記の課題に鑑みてなされたもので、セラミック筒を用いることで何度でも繰り返し使用することができ、また、皮膚上のセラミック筒が施灸中に容易に倒れることなく、安全性の極めて高い灸具を、しかも安価に提供することを目的とする。
【課題を解決するための手段】
【０００７】
上記課題を解決するために、本考案に係る請求項１記載の灸具は、もぐさを詰めるセラミック筒と、このセラミック筒を嵌め込んだ状態で人体の皮膚上に接着可能な環状の台座とからなることを特徴とする。
【０００８】
セラミック筒を用いることで、もぐさを詰め替えて、何度でも繰り返し使用することができ、従来の多量の紙筒を廃棄するという問題を解消することができる。セラミック筒は、もぐさの灰の処理後に多数個まとめて洗浄し乾燥させればよい。
【０００９】
セラミック筒を用いることで、点火したもぐさからの受熱によりセラミック筒が遠赤外線を皮膚に対し放射し、施灸中に遠赤効果を皮膚に同時に与えることができる。
【００１０】
セラミック筒を嵌め込む環状の台座を用いることで、皮膚上のセラミック筒が施灸中に容易に倒れることがない。つまり、皮膚上で安定姿勢を取る台座を皮膚の上に接着し、この台座に先にあるいは後からセラミック筒を嵌め込むことにより、施灸中、皮膚上のセラミック筒の安定姿勢を保持できる。セラミック筒は繰り返し使用することができ、また、台座は例えば紙製で安価に作ることで、結果として安全性の極めて高い灸具を安価に提供することができる。
【００１１】
本考案に係る請求項２の灸具は、セラミック筒の外径が８ｍｍ〜１０ｍｍであり、台座の外径が１６ｍｍ〜２０ｍｍであることを特徴とする。
【００１２】
セラミック筒の外径に対し、台座の外径を約２倍の長さとすることにより、皮膚上のセラミック筒の姿勢がより安定する。また、台座の外径が１６ｍｍ〜２０ｍｍであることにより、皮膚に対する台座の接着面積が大き過ぎず、また、小さ過ぎず、台座を安定して皮膚に接着させることができる。
【００１３】
本考案に係る請求項３の灸具は、セラミック筒の高さが１０ｍｍ〜１４ｍｍであり、台座の厚さが２ｍｍ〜４ｍｍであることを特徴とする。
【００１４】
セラミック筒の嵌め込み厚さを２ｍｍ〜４ｍｍ確保することにより、セラミック筒をより倒れにくくすることができる。
【００１５】
本考案に係る請求項４の灸具は、セラミック筒の内部が上側の大径筒部と下側の小径筒部に区画されていることを特徴とする。
【００１６】
セラミック筒に上から詰めたもぐさを大径筒部内にとどめ、小径筒部内に施灸に必要な空間を作ることができる。押し棒などでもぐさをセラミック筒の下端から押し上げる作業が不要となる。
【００１７】
本考案に係る請求項５の灸具は、セラミック筒の内部が貫通穴を備える板により上下に区画されていることを特徴とする。
【００１８】
セラミック筒に上から詰めたもぐさを貫通穴を備える板の上にとどめ、その下に施灸に必要な空間を作ることができる。押し棒などでもぐさをセラミック筒の下端から押し上げる作業が不要となる。
【００１９】
本考案に係る請求項６の灸具は、環状の台座の下面に粘着剤層が設けられるとともに、粘着剤層の下面に剥離可能なシールが装着されていることを特徴とする。
【００２０】
粘着剤層により環状の台座を確実に人体の皮膚上に接着することができ、剥離可能なシールを装着することで、環状の台座を多数個準備しておくことができ、シールを剥がすことで直ちに使用に供することができる。
【００２１】
本考案に係る請求項７の灸具は、剥離可能なシールの替わりに、剥離可能な台紙の上に粘着剤層を介して多数個の環状の台座を貼付けてなることを特徴とする。
【００２２】
一枚の台紙上に多数個の台座を貼付たものを多数枚準備しておくことができ、これに繰り返し使用できるセラミック筒を組合わせることで、台座とセラミック筒からなる灸具を安価に製作し、供給することができる。
【００２３】
台紙上の台座にセラミック筒を嵌め込んだ後、台座をその下層の粘着剤層と一緒に台紙から剥がすようにする。粘着剤層は台座の下面の範囲で存在すれば足りる。また、台紙から台座を剥がした後に、台座にセラミック筒を嵌め込むようにしてもよい。後者の場合、台紙から剥がした台座を必要数だけ先に皮膚の施灸点に貼付けておき、後からもぐさを詰めたセラミック筒を台座に嵌め込んでいくことで、効率的に施灸の作業を進めることもできる。
【００２４】
本考案に係る請求項８の灸具は、剥離可能なシールの替わりに、剥離可能な台紙の上に粘着剤層、保護紙層を介して多数個の環状の台座を貼付けてなり、各台座の内周および外周に沿って保護紙層からその下層の粘着剤層に達する環状の２列の切取線を設け、各環状の台座が、２列の切取線に沿って切り取られる保護紙層、粘着剤層と一緒に台紙から剥がされる構成であることを特徴とする。
【００２５】
前記と同じく、一枚の台紙上に多数個の台座を貼付たものを多数枚準備しておくことができ、これに繰り返し使用できるセラミック筒を組合わせることで、台座とセラミック筒からなる灸具を安価に製作し、供給することができる。
【考案の効果】
【００２６】
以上説明したように、本考案に係る灸具によると、セラミック筒を用いることでこれを何度でも繰り返し使用することにより、従来多量の紙筒を廃棄していた問題を解消することができる。また、セラミック筒を環状の台座に嵌めこむことで、セラミック筒が皮膚の上で倒れることなく安定して施灸を行うことができ、安全性の極めて高い灸具を提供することができる効果を奏する。さらに安全性の極めて高い灸具を安価に提供することができる。
【考案を実施するための最良の形態】
【００２７】
本考案を実施するための第１の形態を図１ないし図８を参照して説明する。これらの図において、符号１は本考案に係る灸具を示している。
【００２８】
灸具１は、図１ないし図３に示すように、セラミック筒２と、環状の台座３とから構成されている。
【００２９】
セラミック筒２は、もぐさ４を詰める円筒体で、材質はセラミック材料からなる。例えば、アルミナ（Ａｌ２Ｏ３）、ジルコニア（ＺｒＯ２）、窒化珪素（Ｓｉ３Ｎ４）、炭化珪素（ＳｉＣ）などのセラミックス粉末原料を、円筒形に成形し、焼結して得ることができる。セラミック筒２のサイズは、例えば、高さ１２ｍｍ、筒厚０．５ｍｍ、内径８．０ｍｍとすることができる。
【００３０】
台座３は、セラミック筒２の下端部を嵌め込むための貫通穴５を中央に有し、所定の厚みを持つ円環体で、セラミック筒２の下端部を保持する役割をする。台座３の下面には粘着剤層６が貼り付けられ、粘着剤層６を介して人体の皮膚に密着状態に貼付けるようになっている。貫通穴５の内径Ｄ１はセラミック筒２の外径Ｄ２と同一であり、台座３の外径Ｄ３はセラミック筒２の外径Ｄ２よりも大きく、約２倍である。台座３の厚さＨ１はセラミック筒２の高さＨ２の約１／５〜１／３倍程度である。
【００３１】
台座３は、その素材が紙・パルプであり、例えば、所定の厚さの紙板を打抜き加工して得ることができる。例えば、前記したセラミック筒２のサイズの場合、厚さ３．０ｍｍの紙板を、内径８．５ｍｍ、外径１８ｍｍとなるように、打抜き加工する。
【００３２】
図４および図５は、台紙７上に格子状に多数個の台座３を配置準備してなる台座シート８を示している。この台座シート８は、剥離可能な台紙７の上に粘着剤層６を積層し、粘着剤層６の上に保護紙層９を積層し、保護紙層９の上に縦横格子状に多数個の台座３を貼付している。保護紙層９には、台座３の内周および外周に位置し、粘着剤層６まで達する切取線１０が設けられている。切取線１０の一部には、切取線１０に囲まれた部分の台座３、保護紙層９、粘着剤層６を台紙７から剥離させる際に摘む摘み片１１が設けられている。
【００３３】
次ぎに、前記構成の灸具１を用いた施灸方法を説明する。
【００３４】
図６および図７に示すように、台座シート８の台座３にセラミック筒２を嵌め込み、図８に示すように、台座３を台紙７から剥がす。台座３の下面には粘着剤層６が貼付されている。図１に示すように、もぐさ４をセラミック筒２に詰め、下から押し棒でもぐさ４を所定高さまで押し上げる。図２に示すように、施灸を行う皮膚の上に台座３を接着させ、セラミック筒２のもぐさ４に点火する。約５〜６分経過したら、台座３ごとセラミック筒２を皮膚から取り上げる。施灸点が複数箇所あるときは、それぞれ前記した手順で、灸具１を準備し、各施灸点に台座３を順次接着させ、もぐさ４に点火し、施灸を行う。
【００３５】
施灸後は各セラミック筒２からもぐさの灰を処理し、使用後の各セラミック筒２を洗浄および乾燥し、次の使用に備える。
【００３６】
セラミック筒２は後から台座３に嵌め込んでもよい。すなわち、台座シート８の台座３を台紙７から順次剥がし、各施灸点に必要数の台座３を先に接着させておく。セラミック筒２にもぐさ４を詰め、先に接着しておいた台座３に嵌め込み、もぐさ４に点火する。これを各施灸点に接着した全ての台座３に対し順次行う。施灸点を確認し、先に台座３をすべて設置しておくから、施灸の作業効率がよい。
【００３７】
図９は、本考案の灸具の第２の実施形態を示すものであり、セラミック筒２の内部が、上側の大径筒部２ａ、下側の小径筒部２ｂに分かれている構造をしている。小径筒部２ｂの高さＨ３は、セラミック筒２の高さＨ２が１２ｍｍの場合、セラミック筒２の下端から約８．０ｍｍ〜９．０ｍｍ程度とする。セラミック筒２に上から詰めたもぐさ４を大径筒部２ａ内にとどめ、押し棒などでもぐさ４をセラミック筒２の下端から押し上げることなく、小径筒部２ｂ内に施灸時に必要な空間を作ることができる。
【００３８】
図１０は、本考案の灸具の第３の実施形態を示すものであり、セラミック筒２の内部に、多数の貫通孔を備える不燃性の中板１２を取り付けている。中板１２はセラミック製でよい。中板１２の高さＨ４は、図９と同じく、セラミック筒２の下端から約８．０ｍｍ〜９．０ｍｍ程度とすればよい。
【００３９】
図１１は、本考案の灸具の第４の実施形態を示すものであり、本実施形態の台座シート８は、剥離可能な台紙７上に環状の粘着剤層６を介して台座３が多数個貼付けられた構成をしている。粘着剤層６は台座３の下面の形状に合致する環状形状をしている。粘着剤層６から台紙７を剥がして台座３を使用する。
【００４０】
図１２は、本考案の灸具の第５の実施形態を示すものであり、台座３の下面に粘着剤層６を設け、粘着剤層６の下面に剥離可能な円形のシール１２が装着された構成をしている。この円形のシール１２の一部には掴み片１１が形成され、掴み片１１を摘んでシール１１を容易に剥離できるようになっている。このような台座３は、たとえば、多数個を袋に収容した状態で準備し、１個または複数個づつ取り出してシール１３を剥がして使用に供することができるものである。
【００４１】
以上の実施形態では、セラミック筒２が円筒体である例を説明したが、筒体であればよく、円筒に限る必要はない。
【産業上の利用可能性】
【００４２】
本考案に係る灸具は、筒にもぐさを詰め、筒の下端面を人体の皮膚に密着させて灸を行う器具として利用することができる。
【図面の簡単な説明】
【００４３】
【図１】本考案の第１の実施形態に係る灸具を示す斜視図、
【図２】図１に示す灸具の縦断面図、
【図３】図１に示す灸部をセラミック筒と台座に分解した状態を示す斜視図、
【図４】図１に示す灸具に用いる台座シートを示す平面図、
【図５】図４の台座シートを示す断面図、
【図６】図４の台座シートを用いて灸具を準備する手順を示す図で、台紙上の台座にセラミック筒を嵌め込む状態を示す斜視図、
【図７】台座にセラミック筒を嵌め込んだ後の状態を示す斜視図、
【図８】セラミック筒を嵌め込んだ台座を台紙から剥がす状態を示す斜視図、
【図９】本考案の第２の実施形態に係る灸具を示す断面図、
【図１０】本考案の第３の実施形態に係る灸具を示す断面図、
【図１１】本考案の第４の実施形態に係る灸具の台座シートを示す断面図、
【図１２】本考案の第５の実施形態に係る灸具を示す斜視図である。
【符号の説明】
【００４４】
１  灸具
２  セラミック筒
３  台座
４  もぐさ
５  貫通穴
６  粘着剤層
７  台紙
８  台座シート
９  保護紙層
１０  切取線
１１  掴み片  
１２  中板
１３  シール
Ｄ１  貫通穴の内径
Ｄ２  セラミック筒の外径
Ｄ３  台座の外径
Ｈ１  台座の厚さ
Ｈ２  セラミック筒の高さ
Ｈ３  小径筒部の高さ
Ｈ４  中板の高さ
【図１】
0003115781.tif 000003
【図２】
0003115781.tif 000004
【図３】
0003115781.tif 000005
【図４】
0003115781.tif 000006
【図５】
0003115781.tif 000007
【図６】
0003115781.tif 000008
【図７】
0003115781.tif 000009
【図８】
0003115781.tif 000010
【図９】
0003115781.tif 000011
【図１０】
0003115781.tif 000012
【図１１】
0003115781.tif 000013
【図１２】
0003115781.tif 000014